(57)【要約】【課題】  液口栓の上面が蓄電池蓋の上面と同一あるいは僅かに突出または沈んでいる形状の蓄電池においては、前記液口栓を手によって螺着脱することができないために螺着脱用の治具を携帯していなければならない問題点を有していたのに対して、着脱可能な帯状把手と、螺着脱用の溝を設けた液口栓を備えた蓄電池において、液口栓を螺着脱するための治具を携帯していなくても、螺着脱可能な蓄電池を提供することにある。【解決手段】  着脱可能な帯状把手と、螺着脱用の溝を設けた液口栓とを備えた蓄電池において、前記帯状把手の一部に前記液口栓を螺着脱するための突起部を設けたことを特徴とする発明である。【選択図】      図１
2005276493.tif 000002
【特許請求の範囲】
【請求項１】
着脱可能な帯状把手と、螺着脱用の溝を設けた液口栓とを備えた蓄電池において、
前記帯状把手の一部に前記液口栓を螺着脱するための突起部を設けたことを特徴とする蓄電池。
【発明の詳細な説明】
【技術分野】
【０００１】
帯状把手および螺着脱用の溝を設けた液口栓とを備えた蓄電池
【背景技術】
【０００２】
蓄電池の発電要素は、正・負極板、セパレータおよび電解液から構成されている。鉛蓄電池のように電解液に水溶液系が用いられている蓄電池においては、充電末期に充電反応に平行して水の電気分解反応が起こり、電解液が減少していくことは周知である。そのため、使用条件によっては液口から水を補給する必要がある。前記液口には液口栓が螺着されており、補水時に螺脱される。
【０００３】
前記液口栓には２種類のタイプがある。１つは、液口栓が蓄電池の蓋上面より突出しているタイプで、前記突出部に手を掛け、回転させることにより螺着脱することができる。
【０００４】
図４はその一例を示す要部模式図で、１は自動車用鉛蓄電池、１１は前記自動車用鉛蓄電池の蓋、３１は前記蓋１１の上面から突出した形状の液口栓をそれぞれ示す。
【０００５】
図４に示すように、前記液口栓３１に手を掛け、回転させれば、容易に螺着脱することができる。
【０００６】
他のタイプは、液口栓の上面と蓄電池の蓋上面とが同一面あるいは僅かに液口栓の上面が突出または沈んだ形状の液口栓で、図４に示す液口栓のように手によって螺着脱できない。したがって、前記液口栓の上面にはプラス（十）あるいはマイナス（−）形状の溝が設けられており、その部分に螺着脱用の治具、例えばマイナスドライバーを嵌挿して回転させることによって螺着脱される。このような液口栓をここではフラット液口栓、また前記液口栓に設けられた溝をコインによっても螺着脱できることからコイン溝と簡易的に呼ばれている。
【０００７】
図５はその一例を示す要部模式図で、１は自動車用鉛蓄電池、１１は前記自動車用鉛蓄電池の電槽蓋、３はフラット液口栓、４は前記液口栓３の上面に設けられたプラス形状のコイン溝をそれぞれ示す。
【０００８】
図５に示すように、液口栓は手によって螺着脱することができず、治具が必要なことが理解できる。
【０００９】
特許文献１にフラット液口栓に関する提案がなされている。また、特許文献２に着脱可能なループ状の蓄電池用把手に関する提案がなされている。
【００１０】
【特許文献１】特開２００２−３１３３１６号公報
【００１１】
【特許文献２】実用新案登録第２５８４８３４号
【発明の開示】
【発明が解決しようとする課題】
【００１２】
フラット液口栓３が用いられている蓄電池では、蓋上面がフラットであるため蓋上面に蓄電池を固定するための金具を設置する場合に、前記液口栓３が障害にならないので設置が容易である利便さを有している反面、上述したように治具を携帯していないと液口栓３を螺着脱することができない問題点を抱えている。
【００１３】
したがって、本願発明の目的は、着脱可能な帯状把手と、螺着脱用の溝を設けた液口栓を備えた蓄電池において、液口栓を螺着脱するための治具を携帯していなくても、螺着脱可能な蓄電池を提供することにある。
【課題を解決するための手段】
【００１４】
本発明の課題を解決するための手段として、請求項１による発明は、着脱可能な帯状把手と、螺着脱用の溝を設けた液口栓とを備えた蓄電池において、前記帯状把手の一部に前記液口栓を螺着脱するための突起部を設けたことを特徴とするものである。
【発明の効果】
【００１５】
以上、説明したように着脱可能な帯状把手と、螺着脱用の溝を設けた液口栓とを備えた蓄電池において、前記帯状把手の一部に液口栓を螺着脱するための突起部を設けることにより、前記液口栓を螺着脱するための治具を携帯していなくても、前記帯状把手を嵌着部から外し、帯状把手に設けた突起部を液口栓に設けたコイン溝に嵌挿し、回転させれば螺着脱することができ、その工業的効果が大である。
【発明を実施するための最良の形態】
【００１６】
本発明を実施するための最良の形態は、着脱可能な帯状把手と、螺着脱用の溝を設けた液口栓とを備えた蓄電池において、前記帯状把手の一部に液口栓を螺着脱するための突起部を設けた形状にすることである。
【００１７】
前記突起部の形状には、半円形あるいは角形が代表的に挙げられるが、特にこれらの形状に限定されるものでなく、液口栓に設けられたコイン溝に嵌挿できると共に液口栓を回転させることができる形状であればよい。
【００１８】
また、帯状把手における前記突起部の位置は、前記帯状把手を蓄電池の嵌着係止部から外し、前記突起部が各液口栓に設けたコイン溝に嵌挿できればよく、特に限定されるものではない。
【実施例】
【００１９】
本発明を実施例に基づき詳細に説明する。
（実施例１）
図１は本発明に基づく実施例１の着脱可能な帯状把手とコイン溝を設けたフラット液口栓を備えた自動車用鉛蓄電池を示す要部模式図で、図において、１は自動車用鉛蓄電池、１１は自動車用鉛蓄電池の蓋、２は端子、３はフラット液口栓、４は前記液口栓に設けられたプラス形状のコイン溝、５は嵌着係止部、６は帯状把手、７は前記帯状把手６の軟質部、８は帯状把手の硬質部、９は前記硬質部８に一体に設けられた液口栓を螺着脱するための半円形状の突起部、１０は同じく硬質部８に一体に設けられた係止部をそれぞれ示す。この場合、硬質部８、突起部９および係止部１０はＰＰ樹脂からなり、一体に成型されている。また、軟質部７はＰＰ樹脂繊維を織って形成された布からなり、前記硬質部８とは熱溶着により接合されている。
【００２０】
図１に示すように、半円形状の突起部９は硬質部８の片面に設けられているが、反対側に対に設けることもできる。また、それぞれの硬質部８に１個ずつ突起部９を設ける構造でもよい。
【００２１】
また、図１に示す突起部９は半円形状であるが、角形であっても効果は変わらず、突起部の形状および寸法は当業者が適宜選択し得る設計事項である。
【００２２】
図２は、実施例１の方式により液口栓３を螺脱する状態を示す要部模式図で、構成部材は図１と同じ番号を付記する。
図２に示すように、嵌着係止部５から外された帯状把手６の硬質部８に設け突起部９をフラット液口栓３に設けたプラス形状のコイン溝４に嵌挿した状態で、前記突起部９を回転させれば、前記液口栓３を螺脱することができる。
【００２３】
実施例では、帯状把手は軟質部７と硬質部８から構成されているが、硬質部８のみで構成された帯状把手６も可能で、その場合、突起部９は任意の場所に設けることができる。
【００２４】
また、実施例１では、硬質部８にＰＰ樹脂を用いたが、他に、ＡＢＳ樹脂、ＰＥ樹脂も使用できる。さらに各種金属も使用することができる。
【００２５】
さらに、軟質部７についても、ＰＰ樹脂以外に、ポリエステル、ポリアクリルニトリル、ポリエチレン繊維の織布あるいは不織布も適用可能である。
（実施例２）
図３は、本発明に基づく実施例２の着脱可能な帯状把手を示す要部模式図で、構成部材は図１と同じ番号を付記する。この場合、硬質部８および突起部９は、ＰＥ樹脂からなり、一体に成型されている。また、軟質部７はＰＥ繊維を織った布から形成され、硬質部８とは熱溶着により接合されている。
【００２６】
図３に示すように、突起部９は帯状把手６の硬質部８に対して垂直方向に形成されているが、同様の効果が得られるのは容易に理解できる。
【００２７】
実施例２に示す突起部９を設ける位置および角度も当業者が適宜決定できる設計事項である。
【００２８】
実施例では、鉛蓄電池について説明したが、着脱可能な帯状把手と、螺着脱用の溝を設けた液口栓を備えた蓄電池であれば、鉛蓄電池に限定されることなく本願発明が適用できるのはいうまでもない。
【図面の簡単な説明】
【００２９】
【図１】本願発明に基づく実施例１の帯状把手および鉛蓄電池を示す要部模式図。
【図２】本願発明の効果を実施例１により具体的に示す要部模式図。
【図３】実施例２の帯状把手を示す要部模式図。
【図４】蓋から突出した形状の液口栓を示す要部模式図。
【図５】螺着脱用の溝を設けた液口栓を示す要部上面図。
【符号の説明】
【００３０】
１  自動車用鉛蓄電池
１１  自動車用鉛蓄電池の蓋
２  端子
３  フラット液口栓
３１  蓋上面から突出した形状の液口栓
４  フラット液口栓に設けたプラス形状のコイン溝
５  嵌着係止部
６  帯状把手
７  帯状把手の軟質部
８  帯状把手の硬質部
９  硬質部に設けた半円形状の突起部
１０  係止部
【図１】
2005276493.tif 000003
【図２】
2005276493.tif 000004
【図３】
2005276493.tif 000005
【図４】
2005276493.tif 000006
【図５】
2005276493.tif 000007